(57)【要約】【課題】  フトン篭の幅調整量の自由度が高く、しかも幅調整量の如何に関わらず強度弱化がないようにする。【解決手段】  部分底網・部分縦網・部分幅網を結合金具を介して組み立てた複数のユニットを連結して構成するフトン篭において、ユニットの縦方向に沿った少なくとも一列の連結部において、その両側のユニットの連結端部には部分縦網を設けず、かつ、少なくとも一方の側のユニットの連結端部には部分底網と部分幅網との結合金具を設けず、一方の側のユニットの部分底網を、他方の側の結合金具がない部分底網と部分幅網の間に差し込んで両側の部分底網及び部分幅網を重ね合わせることで、幅調整を可能にする。【選択図】      図３
2012127129.tif 000002
【特許請求の範囲】
【請求項１】
底網と、該底網から立設した任意間隔で並ぶ複数列の縦網と、該縦網と直角方向に前記底網から立設した任意間隔で並ぶ複数列の幅網を有し、前記底網、縦網及び幅網で四角箱状の区画が縦横に連続して形成されるフトン篭において、
該フトン篭が、部分底網・部分縦網及び部分幅網を結合金具を介して組み立てた複数のユニットを連結して構成され、又はこれらユニットと、部分底網と部分幅網のみを結合金具を介して組み立てた複数のユニットを連結して構成され、
該ユニットの縦方向に沿った少なくとも一列の連結部において、その両側のユニットの連結端部には部分縦網がなく、かつ、少なくとも一方の側のユニットの連結端部には部分底網と部分幅網との結合金具がなく、
他方の側のユニットの部分底網を、一方の側の結合金具がない部分底網と部分幅網の間に差し込んで両側の部分底網及び部分幅網どうしを重ね合わせることで、幅調整を可能にしたことを特徴とするフトン篭。
【請求項２】
前記ユニットの幅方向に沿った少なくとも一列の連結部において、その両側のユニットの部分幅網を連結端部以外の中間部に設けることで、ユニットを縦方向にジョイントする際に、部分幅網が形成されていない連結端部を重ね合わせ、縦方向の長さ調整も可能にした請求項１に記載のフトン篭。
【発明の詳細な説明】
【技術分野】
【０００１】
本発明は、法面保護工、護岸工などに使用されるフトン篭で、特に幅方向（法面の等高線方向）に長さ調整可能なフトン篭に関する。
【背景技術】
【０００２】
法面保護工、護岸工などに使用されるフトン篭は、例えば下記特許文献１〜５等に開示されている。このようなフトン篭は、法面などに付設し内部に割石を詰め、付設面の安定を図るものである。このうち、特許文献１では幅調整可能なフトン篭が、特許文献５には縦方向（法面の勾配方向）に長さ調整可能なフトン篭が提案されている。
【０００３】
前記特許文献１の、幅調整可能なフトン篭は、部分幅網が部分底網の横断長より短い断面Ｌ字形のユニットを使用し、先行して敷設したユニットの部分底網上に他のユニットの部分底網の一部を重ね合わせ、部分幅網の自由端を隣接するユニットの縦網に連結して拘束するものである。
【０００４】
前記特許文献５の縦方向に長さ調整可能なフトン篭は、ユニットの部分幅網をジョイント端部以外の中間部に設けることで、ユニットを縦方向にジョイントする際に、仕切網が形成されていないジョイント端部を重ね合わせ、フトン篭の縦方向の長さ調整を容易に行うことができるものである。
【先行技術文献】
【特許文献】
【０００５】
【特許文献１】特開平５−１９５５２０号公報
【特許文献２】特開平６−１４６２３７号公報
【特許文献３】特開平１１−６１８３５号公報
【特許文献４】特開２０００−１７０１３５号
【特許文献５】特許第４３５４３６３号公報
【発明の開示】
【発明が解決しようとする課題】
【０００６】
前記特許文献１の幅調整可能なフトン篭は、部分底網の横断長と幅網の長さの差分しか、部分底網を重ね合わせることができず、調整幅に限界があった。また、部分底網の重ね合わせ量が少ない場合、部分幅網の自由端と隣接するユニットの縦網の間の隙間が大きくなるから、これを連結拘束した部分の強度が弱くなり、石詰めのときに当該部分が損傷するおそれがあった。
【０００７】
前記引用文献５の縦方向に長さ調整可能なフトン篭は、長さ調整を容易に行うことができるものであるが、幅調整を行うことができなかった。
【０００８】
本発明は、幅調整量の自由度が高く、しかも幅調整量の如何に関わらず強度の弱化のないフトン篭を開発することを課題とするものである。
【課題を解決するための手段】
【０００９】
〔請求項１〕
本発明は、底網と、該底網から立設した任意間隔で並ぶ複数列の縦網と、該縦網と直角方向に前記底網から立設した任意間隔で並ぶ複数列の幅網を有し、前記底網、縦網及び幅網で四角箱状の区画が縦横に連続して形成されるフトン篭において、
該フトン篭が、部分底網・部分縦網及び部分幅網を結合金具を介して組み立てた複数のユニットを連結して構成され、又はこれらユニットと、部分底網と部分幅網のみを結合金具を介して組み立てた複数のユニットを連結して構成され、
該ユニットの縦方向に沿った少なくとも一列の連結部において、その両側のユニットの連結端部には部分縦網がなく、かつ、少なくとも一方の側のユニットの連結端部には部分底網と部分幅網との結合金具がなく、
他方の側のユニットの部分底網を、一方の側の結合金具がない部分底網と部分幅網の間に差し込んで両側の部分底網及び部分幅網どうしを重ね合わせることで、幅調整を可能にしたことを特徴とするフトン篭である。
【００１０】
部分底網、部分縦網、部分幅網はそれぞれ底網、縦網、幅網の一部である。
本発明において、フトン篭を構成する全てのユニットが部分底網・部分縦網及び部分幅網からなるものである場合と、部分底網・部分縦網及び部分幅網からなるユニットと、部分底網と部分幅網のみからなるユニットの双方でフトン篭が構成される場合がある。
結合金具は、コイル状のもの、リング状のものなど、従来周知のものを使用できる。
【００１１】
連結部における双方のユニットの連結端部に部分縦網を設けず、また少なくとも一方の側のユニットの連結端部に部分底網と部分幅網との結合金具を設けないことで、他方の側のユニットの部分底網を、一方の側の結合金具がない部分底網と部分幅網の間に差し込み、両側の部分底網及び部分幅網どうしを重ね合わせることができ、幅調整が可能となる。
この連結部は、部分底網及び部分幅網どうしが重ね合わされるので、幅調整量の大小にかかわらず、当該部分の強度低下がない。
【００１２】
〔請求項２〕
また本発明は、前記ユニットの幅方向に沿った少なくとも一列の連結部において、その両側のユニットの部分幅網を連結端部に設けず、それ以外の中間部に設けることで、ユニットを縦方向にジョイントする際に、部分幅網が形成されていない連結端部（部分底網及び部分縦網）を重ね合わせ、縦方向の長さ調整も可能にした請求項１に記載のフトン篭である。
【００１３】
このフトン篭は、幅調整に加えて、縦方向の長さ調整も可能となる。
【発明の効果】
【００１４】
本発明のフトン篭は、連結部において、部分底網及び部分幅網の重ね合わせの可能な範囲で自由に幅調整を行うことができるので、調整範囲がきわめて広くなる。また、連結部において部分底網及び部分幅網どうしが重ね合わされるので、幅調整量の大小にかかわらず、当該部分の強度低下がない。
【図面の簡単な説明】
【００１５】
【図１】本発明の実施形態におけるユニットの展開説明図である。
【図２】本発明の他の実施形態におけるユニットの展開説明図である。
【図３】図１又は図２のユニットを組み立てた本発明実施形態の説明図である。
【図４】図１又は図２のユニットを組み立てた本発明実施形態の説明図である。
【図５】連結部の断面説明図である。
【発明を実施するための形態】
【００１６】
図１の実施形態において、ユニットは、縦方向に並んだ列はＡ列からＥ列の５列、幅方向に並んだ列はａ列からｆ列の６列あり、ユニットの総数は３０である。例えばＡ列とａ列が交差した部分のユニットはＡａ、Ｅ列とｆ列が交差した部分のユニットはＥｆのように符号を付している。
【００１７】
Ａ列のＡａ，Ａｂ・・Ａｅ，Ａｆの各ユニットは、四角形の部分底網１の縦方向に沿った外端側の辺から部分縦網２が立設している。また、１〜３枚の部分幅網３が底網の中間部及び／又は端部の辺から立設している。
Ｂ列のＢａ，Ｂｂ・・Ｂｅ，Ｂｆの各ユニットは、四角形の部分底網１の縦方向に沿ったＡ列と同じ側の辺から部分縦網２が立設している。また、１〜３枚の部分幅網３が底網の中間部及び／又は端部の辺から立設している。
Ｃ列のＣａ，Ｃｂ・・Ｃｅ，Ｃｆの各ユニットは、四角形の部分底網１の縦方向に沿ったＢ列と反対側の辺から部分縦網２が立設している。また、１〜３枚の部分幅網３が底網の中間部及び／又は端部の辺から立設している。
Ｄ列のＤａ，Ｄｂ・・Ｄｅ，Ｄｆの各ユニットは、四角形の部分底網１の縦方向に沿ったＣ列と同じ側の辺から部分縦網２が立設している。また、１〜３枚の部分幅網３が底網の中間部及び／又は端部の辺から立設している。
Ｅ列のＥａ，Ｅｂ・・Ｅｅ，Ｅｆの各ユニットは、四角形の部分底網１の縦方向に沿ったＤ列と同じ側の辺から部分縦網２が立設している。また、１〜３枚の部分幅網３が底網の中間部及び／又は端部の辺から立設している。
【００１８】
ａ列のＡａ，Ｂａ・・Ｄａ，Ｅａの各ユニットは、四角形の部分底網１の幅方向に沿った外端側の辺、及び部分底網１の中間部から合計２枚の部分幅網３が立設している。
ｂ列のＡｂ，Ｂｂ・・Ｄｂ，Ｅｂの各ユニットは、四角形の部分底網１の中間部から１枚の部分幅網３が立設している。
ｃ列のＡｃ，Ｂｃ・・Ｄｃ，Ｅｃの各ユニットは、四角形の部分底網１の幅方向に沿ったａ列と同じ側の辺、及び部分底網１の中間部から合計３枚の部分幅網３が立設している。
ｄ列のＡｄ，Ｂｄ・・Ｄｄ，Ｅｄの各ユニットは、四角形の部分底網１の幅方向に沿ったｃ列と反対側の辺、及び部分底網１の中間部から合計３枚の部分幅網３が立設している。
ｅ列のＡｅ，Ｂｅ・・Ｄｅ，Ｅｅの各ユニットは、四角形の部分底網１の中間部から１枚の部分幅網３が立設している。
ｆ列のＡｆ，Ｂｆ・・Ｄｆ，Ｅｆの各ユニットは、四角形の部分底網１の幅方向に沿った外端側の辺、及び部分底網１の中間部から合計２枚の部分幅網３が立設している。
【００１９】
以上の通り、図１におけるユニットは全て部分底網・部分縦網及び部分幅網からなるものである。
【００２０】
図２の実施態様が図１と異なるのはＣ〜Ｅ列であり、その他は図１と同じである。
Ｃ列のＣａ，Ｃｂ・・Ｃｅ，Ｃｆの各ユニットは、部分縦網を有しない点で図１と異なる。
Ｄ列のＤａ，Ｄｂ・・Ｄｅ，Ｄｆの各ユニットは、部分縦網２が立設している部分底網１の辺が図１と反対側である点で異なる。
Ｅ列のＥａ，Ｅｂ・・Ｅｅ，Ｅｆの各ユニットは、四角形の部分底網１の縦方向に沿った両側の辺から部分縦網２が立設している点で図１と異なる。
【００２１】
以上の通り、図２におけるユニットは、部分底網・部分縦網及び部分幅網からなるユニット（Ａ，Ｂ，Ｄ，Ｅ列）と、部分底網と部分幅網のみからなるユニット（Ｃ列）がある。
【００２２】
図１，２において、Ｂ列とＣ列は、その連結端部（向き合っている端部）に部分縦網が存在しない。また、Ｂ列のユニットのＣ列側の連結端部には部分底網と部分幅網との結合金具がない領域がある（図５）。これにより、Ｂ列とＣ列の連結部において幅調整が可能となる。
【００２３】
また、図１，２において、ｃ列とｄ列のユニットの連結端部、及びｅ列とｆ列のユニットの連結端部には部分幅網３がなく、部分幅網は部分底網の中間部にあるので、これらの連結部で縦方向の長さ調整が可能となっている。
【００２４】
図３は、図１，２のユニットを連結してフトン篭を組み立てた状態で、Ｂ列とＣ列の連結部で幅調整したものである。幅調整による部分底網及び部分幅網の重なり部４を網掛け表示している。
【００２５】
図５は、Ｂ列とＣ列の連結部のｃ列における断面図である。ユニットＢｃのＣ列側の連結部、及びユニットＣｃのＢ列側の連結部には部分縦網が存在しない。ユニットＢｃの部分底網１と部分幅網３はリング状の結合金具５で結合されているが、ユニットＣｃ側の端部付近には結合金具５がない領域がある。したがって、ユニットＣｃの部分底網１を、ユニットＢｃの部分底網１と部分幅網３の間に差し込み、ユニットＢｃとＣｃの部分底網１どうし、部分幅網３どうしが重なり合った重なり部４を形成し、幅調整することができる。
なお、Ｂ列とＣ列を斜めに連結することで、カーブ施工も可能となる。
【００２６】
図５に示す状態から、重なり合った部分幅網を結合金具５で結合し、補強することができる。
【００２７】
図４は、図３の幅調整に加え、ｃ列とｄ列の連結部に重なり部４（網掛け表示）を形成し、縦方向の長さ調整を行った例である。ｃ列とｄ列の連結部において、隣り合うユニットの部分底網１どうし、部分縦網２どうしが重なり合った重なり部４が形成されている。
【００２８】
本実施態様においては、５列×６列の３０ユニットの場合を示したが、これに限るものでないことはもちろんである。また、幅調整可能な連結部は１列に限らず、複数列も受けることができるものもちろんである。
【符号の説明】
【００２９】
Aa,Ab,・・Ee,Ef  ユニット
１  部分底網
１’  底網
２  部分縦網
２’  縦網
３  部分幅網
３’  幅網
４  重なり部
５  結合金具
【図１】
2012127129.tif 000003
【図２】
2012127129.tif 000004
【図３】
2012127129.tif 000005
【図４】
2012127129.tif 000006
【図５】
2012127129.tif 000007